(57)【要約】  【課題】商用電源で充電される蓄電手段を備え、常時は商用電源からの給電電力で販売，運転を行う自動販売機で、自動販売機での販売を停止せずに蓄電手段を短時間に充電し、商用電源停止時には蓄電手段にて長時間自動販売機を動作させること。  【解決手段】消費電流判定手段１０にて第２給電回路７に給電した場合の消費電流が商用電源から給電できる定格電流の範囲内であれば、蓄電制御手段８にて第２給電回路７へ給電を行うことにより蓄電手段６ａの充電を行ことにより、商用電源から給電できる定格電流の範囲内で自動販売機を動作させながら第２給電回路７を介して蓄電装置６ａに給電し短時間で蓄電装置６ａへの充電を完了させることができる。【選択図】図２
2007293753.tif 000002
【特許請求の範囲】
【請求項１】
第１商用電源からの給電で運転、及び商品の販売を行う第１給電回路と、前記第１商用電源とは別に第２商用電源から給電で蓄電装置を有し前記第１給電回路と接続される第２給電回路を備えたことを特徴とする自動販売機の制御装置。
【請求項２】
商用電源からの給電で運転、及び商品の販売を行う第１給電回路と、前記商用電源からの給電で蓄電装置を有し前記第１給電回路と接続される第２給電回路を備え、前記第１給電回路及び前記第２給電回路での総給電量が商用電源から給電できる定格電流を超えない場合のみ、前記第２給電回路へ給電することを特徴とする自動販売機の制御装置。
【請求項３】
蓄電を優先する設定手段を設け、前記第２給電回路が有する蓄電装置への蓄電が必要でかつ前記設定手段で蓄電優先と設定された場合、前記第１給電回路及び前記第２給電回路での総給電量が商用電源から給電できる定格電流を超えないように、前記第１給電回路からの給電量を制限して自動販売機の運転、及び商品の販売を行うことを特徴とする請求項２に記載の自動販売機の制御装置。
【請求項４】
前記第２給電回路から前記第１給電回路への給電を開始又は停止させる操作装置を自動販売機の外郭に設け、前記第２給電回路から前記第１給電回路を介して自動販売機への給電を外部から操作可能とすることを特徴とする請求項２または３に記載の自動販売機の制御装置。
【請求項５】
自動販売機の外郭に前記商用電源からの給電が停止した場合に前記第２給電回路から給電するコンセントを設け、商用電源停止時、外部に給電可能とすることを特徴とする請求項２から４のいずれか一項に記載の自動販売機の制御装置。
【発明の詳細な説明】
【技術分野】
【０００１】
本発明は、震災などの大規模災害が発生してその地域のライフラインが停止した場合を含めて、商用電源の停止時でも継続して商品販売が行えるようにした自動販売機の災害，停電対策に関するものである。
【背景技術】
【０００２】
従来の自動販売機の制御装置には、商用電源で充電される蓄電装置を備え、常時は商用電源からの給電電力で販売，運転を行い、商用電源の停止時に蓄電装置に蓄えた電力で販売を行うようにした自動販売機において、深夜電力料金の適用を受ける夜間電力で蓄電装置の充電を行うようにしたものについて開示したものがある（例えば、特許文献１参照）。
【特許文献１】特開２００３−１３２７３８号公報
【発明の開示】
【発明が解決しようとする課題】
【０００３】
しかしながら、前記従来の構成では、同一の商用電源から自動販売機への給電と蓄電装置への充電を行う構成となっており、蓄電装置の定格を、商用電源から給電できる定格電流（１５Ａ）から自動販売機が消費する最大電流を差し引いた範囲で選定する必要があり大容量の蓄電装置が搭載できないという課題を有していた。
【０００４】
また、夜間電力で蓄電装置に充電を行う構成となっており、夜間でかつ自動販売機と蓄電装置が消費する電流が商用電源から給電できる定格電流の範囲でしか蓄電装置への充電ができず、蓄電装置への充電が完了するまでに時間を要するという課題を有していた。また、商用電源が停止した場合、蓄電装置から給電で自動販売機の販売，運転を行う構成となっており、商品を販売しない待機状態でも蓄電装置から給電を行うため、蓄電量を浪費してしまい、自動販売機が動作可能となっている時間が短いという課題を有していた。
【０００５】
本発明は、前記従来の課題を解決するもので、自動販売機を動作させながら、商用電源から給電できる定格電流の範囲で蓄電装置の充電を短時間で完了させ、また、商用電源が停止した場合、販売時のみ蓄電装置から給電することで長時間自動販売機を動作させることができる自動販売機の制御装置を提供することを目的としている。
【課題を解決するための手段】
【０００６】
前記従来の課題を解決するために、本発明の自動販売機の制御装置は、自動販売機の運転，及び商品の販売を行うための給電回路とは別に蓄電装置を有した給電回路を設け、それぞれの給電回路を異なった商用電源に接続するようにしたものである。
【０００７】
これによって、自動販売機の消費電流に関係なく、商用電源から給電できる定格電流の範囲で蓄電装置を自由に選定することができ、さらに常に蓄電装置に充電できるので短時間で充電を完了させることができる。
【０００８】
また、本発明の自動販売機の制御装置は、同一の商用電源から自動販売機の運転，及び商品の販売を行うための給電回路と蓄電装置を有した給電回路へ給電する構成であっても、自動販売機への給電状態を判定し、蓄電装置を有する給電回路へ給電しても商用電源から給電できる定格電流の範囲であれば蓄電装置を有する給電回路への給電を行うようにしたものである。
【０００９】
これによって、自動販売機の動作状況に応じて、商用電源から給電できる定格電流の範囲で蓄電装置に充電できるので短時間で充電を完了させることができる。
【００１０】
また、本発明の自動販売機の制御装置は、蓄電を優先させる設定手段を設け、蓄電優先とされた場合、蓄電装置を有する給電回路への給電状態を判断し、商用電源から給電できる定格電流の範囲で自動販売機の給電を制限するようにしたものである。
【００１１】
これによって、優先的に蓄電装置を有する給電回路に給電され、自動販売機を動作させながら短時間で蓄電装置への充電を完了させることができる。
【００１２】
また、本発明の自動販売機の制御装置は、災害等で商用電源が停止した場合、蓄電装置を有した給電回路から自動販売機への給電を開始又は停止させる操作装置を自動販売機の外郭に設け、停電時の自動販売機への給電を外部から操作可能とするようにしたものである。
【００１３】
これによって、自動販売機を動作させる場合のみ蓄電装置を有する給電回路から給電することができるので長時間自動販売機を動作させることができる。
【００１４】
また、本発明の自動販売機の制御装置は、自動販売機の外郭に商用電源からの給電が停止した場合に蓄電装置を有する給電回路から給電するコンセントを設け、災害等で商用電源が停止した場合、外部に給電可能とするようにしたものである。
【００１５】
これによって、震災などの大規模災害が発生し商用電源の電力供給が停止した場合、自動販売機の運転以外でも蓄電装置を有する給電回路から外部へ電力供給することができる。
【発明の効果】
【００１６】
本発明の自動販売機の制御装置は、自動販売機の運転，及び商品の販売を行うための給電回路とは別に蓄電装置を有する給電回路を設け、それぞれの給電回路を異なった商用電源に接続するようにしたので、商用電源から給電できる定格電流の範囲内であれば蓄電装置を自由に選定することができ、さらに給電する時間帯や自動販売機の消費電流に関係なく蓄電装置を有する給電回路に給電することにより短時間で蓄電装置への充電を完了させることができる。
【発明を実施するための最良の形態】
【００１７】
請求項１の発明は、第１商用電源からの給電で運転、及び商品の販売を行う第１給電回路と、前記第１商用電源とは別に第２商用電源から給電で蓄電装置を有し前記第１給電回路と接続される第２給電回路を備えることにより、商用電源から給電できる定格電流の範囲内であれば蓄電装置を自由に選定することができ、さらに給電する時間帯や自動販売機の消費電流に関係なく蓄電装置に充電することができる。
【００１８】
請求項２の発明は、商用電源からの給電で運転、及び商品の販売を行う第１給電回路と、前記商用電源からの給電で蓄電装置を有し前記第１給電回路と接続される第２給電回路を備え、前記第１給電回路及び前記第２給電回路での総給電量が商用電源から給電できる定格電流を超えない場合のみ、前記第２給電回路へ給電することにより、商用電源から給電できる定格電流の範囲で蓄電装置に充電することができる。
【００１９】
請求項３の発明は、特に第２の発明に、蓄電を優先する設定手段を設け、前記第２給電回路が有する蓄電装置への蓄電が必要でかつ前記設定手段で蓄電優先と設定された場合、前記第１給電回路及び前記第２給電回路での総給電量が商用電源から給電できる定格電流を超えないように、前記第１給電回路からの給電量を制限して自動販売機の運転、及び商品の販売を行うことにより、優先的に前記第２給電回路に給電され、自動販売機を動作させながら短時間で蓄電装置への充電を完了させることができる。
【００２０】
請求項４の発明は、特に第２または３の発明に、前記第２給電回路から前記第１給電回路への給電を開始又は停止させる操作装置を自動販売機の外郭に設け、前記第２給電回路から前記第１給電回路を介して自動販売機への給電を外部から操作可能とするようにしたので、震災などで前記商用電源が停止した場合、自動販売機を動作させる場合のみ前記第２給電回路が有する蓄電装置から給電することができる。
【００２１】
請求項５の発明は、特に第２または３の発明に、自動販売機の外郭に前記商用電源からの給電が停止した場合に前記第２給電回路から給電するコンセントを設けたので、震災などの大規模災害が発生し電力供給が停止した場合、自動販売機の運転以外でも前記第２給電回路が有する蓄電装置から外部へ電力供給することができる。
【００２２】
以下、本実施の形態について、図面を参照しながら説明する。なお、この実施の形態によって本発明が限定されるものではない。
【００２３】
（実施の形態１）
図１は本発明の実施の形態１による自動販売機の制御装置の機能ブロック図である。
【００２４】
図１において、第１商用電源１と、第２商用電源２と、第１商用電源１からの給電で自動販売機に給電を行う第１給電回路３と、第１給電回路３からの給電により商品の販売動作を行う商品販売手段４と、第１給電回路３からの給電により照明や商品の冷却又は加温を行う冷却加温手段５と、第２商用電源２からの給電により蓄電する蓄電手段６と、蓄電手段６を有し第１給電回路３に接続された第２給電回路７とから自動販売機の制御装置を構成している。
【００２５】
以上のように構成された自動販売機の制御装置について、以下その動作、作用を説明する。
【００２６】
まず、第１給電回路３は第１商用電源１から給電され、又第２給電回路７は第２商用電源２から給電され蓄電手段６を蓄電している。一方、第２給電回路７は第１給電回路３に接続されており、第１商用電源１が停止し、第１給電回路３への給電が停止した場合、第１給電回路３は第２給電回路７が有している蓄電手段６から給電を受け自動販売機への給電を行う。
【００２７】
以上のように、本実施の形態の自動販売機の制御装置によれば、第１給電回路３は第１商用電源１から給電され、又第２給電回路７は第２商用電源２から給電され蓄電手段６を蓄電する構成としているので、商用電源から給電できる定格電流の範囲内であれば蓄電手段６の定格を自由に選定することができ、さらに第１商用電源１から第１給電回路３を介して自動販売機へ給電する消費電流に関係なく蓄電手段６に充電することができる。
【００２８】
（実施の形態２）
図２は本発明の実施の形態２による自動販売機の制御装置の機能ブロック図である。図３は、同実施の形態の動作を示すフローチャートである。なお実施の形態１と同一構成のものは、同一符号を付してその詳細な説明を省略する。
【００２９】
図２において、蓄電手段６ａは蓄電手段６を第１商用電源１から給電するようにしたものであり、蓄電手段６ａへの給電を制御する蓄電制御手段８と、自動販売機の動作状態から自動販売機の消費電流を検知する電流検知手段９と、電流検知手段９で検知した消費電流と第２給電回路７に給電した場合の商品電流を加算し商用電源から給電できる定格電流の範囲内であるかを判定する消費電流判定手段１０と、蓄電制御手段８と消費電流判定手段１０とに接続された演算制御部１１とからなり、演算制御部１１は、消費電流判定手段１０にて第２給電回路７に給電した場合の消費電流が商用電源から給電できる定格電流の範囲内であれば、蓄電制御手段８にて第２給電回路７へ給電を行うことにより蓄電手段６ａの充電を行う。
【００３０】
以上のように構成された自動販売機の制御装置について、以下その動作を説明する。
【００３１】
消費電流判定手段１０は第２給電回路７に給電した場合の消費電流が商用電源から給電できる定格電流の範囲内であるかを判定し（ＳＴＥＰ１）、演算制御部１１は定格電流の範囲内であれば蓄電制御手段８にて第２給電回路７へ給電を行い（ＳＴＥＰ２）、また定格電流の範囲外であれば蓄電制御手段８にて第２給電回路７へ給電を停止させる（ＳＴＥＰ３）。
【００３２】
以上のように本実施の形態の自動販売機の制御装置によれば、自動販売機の動作状態から消費電流を検知し第２給電回路７への給電が商用電源から給電できる定格電流の範囲内で可能かを判断し、給電可能であれば第２給電回路７へ給電を行うようにしたことにより、商用電源から給電できる定格電流の範囲内で自動販売機を動作させながら第２給電回路７を介して蓄電装置６ａに給電ですることができ、短時間で蓄電装置６ａへの充電を完了させることができる。
【００３３】
（実施の形態３）
図４は本発明の実施の形態３による自動販売機の制御装置の機能ブロック図である。図５は、同実施の形態の動作を示すフローチャートである。なお実施の形態１，２と同一構成のものは、同一符号を付してその詳細な説明を省略する。
【００３４】
図４において、蓄電を優先して行うか否かを設定する蓄電優先設定手段１２と、蓄電装置６ａへの蓄電が必要かを判定する蓄電判定手段１３と、第１給電回路３及び第２給電回路７へ給電しても商用電源から給電できる定格電流の範囲内となるように冷却加温手段５への給電制限を行うことで第１給電回路３の消費電流を制御する冷却加温給電制御手段１４とを備え、演算制御部１１ａは、蓄電優先設定手段１２にて蓄電優先に設定され、蓄電判定手段１３にて蓄電が必要と判定した場合、蓄電制御手段８にて第２給電回路７へ給電を行うとともに、冷却加温給電制御手段１４にて冷却加温手段５への給電制限を行うことにより第１給電回路３での消費電流の制御を行う。
【００３５】
以上のように構成された自動販売機の制御装置について、以下その動作を説明する。
【００３６】
演算制御部１１ａは、蓄電優先設定手段１２の設定状態を判定し（ＳＴＥＰ１１）、蓄電優先と設定されている場合、蓄電判定手段１３にて蓄電が必要か否かを判定する（ＳＴＥＰ１２）。次に、蓄電が必要と判定された場合、蓄電制御手段８にて第２給電回路７へ給電を行うとともに、冷却加温給電制御手段１４にて冷却加温手段５への給電制御を行う（ＳＴＥＰ１３）。
【００３７】
また、必要なし判定された場合、蓄電制御手段８にて第２給電回路７へ給電を停止させるとともに、冷却加温給電制御手段１４での冷却加温手段５への給電制限を行なわない（ＳＴＥＰ１４）。
【００３８】
以上のように本実施の形態の自動販売機の制御装置によれば、蓄電優先と設定されかつ蓄電装置への蓄電が必要と判断した場合、蓄電制御手段８にて第２給電回路７へ給電を行うとともに、冷却加温給電制御手段１４にて冷却加温手段５への給電制限を行い第１給電回路３での消費電流を制御するようにしたことにより、商用電源から給電できる定格電流の範囲内で商品の販売を止めることなく第２給電回路７を介して蓄電装置６ａに優先して給電ですることができ、短時間で蓄電装置６ａへの充電を完了させることができる。
【００３９】
（実施の形態４）
図６は本発明の実施の形態４による自動販売機の制御装置の機能ブロック図である。なお実施の形態１から３と同一構成のものは、同一符号を付してその詳細な説明を省略する。
【００４０】
図６において、自動販売機の外郭に第２給電回路７から第１給電回路３への給電を開始又は停止させる操作装置１５を備え自動販売機の制御装置を構成している。
【００４１】
以上のように構成された自動販売機の制御装置について、以下その動作、作用を説明する。
【００４２】
操作装置１５は自動販売機の外郭に設けられており、操作装置１５を操作することにより、第２給電回路７から第１給電回路３への給電を開始又は停止を外部から操作可能としている。
【００４３】
以上のように、本実施の形態の自動販売機の制御装置によれば、自動販売機の外郭に第２給電回路７から第１給電回路３への給電を開始又は停止させる操作装置１５を設けているので、災害等で商用電源が停止した場合、自動販売機への給電を外部からの操作が可能となり、自動販売機を動作させる場合のみ第２給電回路７が有する蓄電手段６ａから第１給電回路３へ給電することができ、蓄電手段６ａで長時間自動販売機を動作させることができる。
【００４４】
（実施の形態５）
図７は本発明の実施の形態５による自動販売機の制御装置の機能ブロック図である。なお実施の形態１から４と同一構成のものは、同一符号を付してその詳細な説明を省略する。
【００４５】
図７において、自動販売機の外郭にコンセント１６と、第１商用電源１からの給電が停止した場合に第２給電回路７からコンセント１６へ給電を行う外部給電制御手段１７とを備え自動販売機の制御装置を構成している。
【００４６】
以上のように構成された自動販売機の制御装置について、以下その動作、作用を説明する。
【００４７】
コンセント１６は自動販売機の外郭に設けられており、外部給電制御手段１７により第１商用電源１からの給電が停止した場合に第２給電回路７からコンセント１６へ給電を行う。
【００４８】
以上のように、本実施の形態の自動販売機の制御装置によれば、自動販売機の外郭にコンセント１６を設け、第１商用電源１からの給電が停止した場合に第２給電回路７が有している蓄電手段６ａからコンセント１６へ給電するようにしているので、震災などの大規模災害が発生し電力供給が停止した場合、自動販売機の運転以外でも第２給電回路７から外部へ電力供給することができる。
【産業上の利用可能性】
【００４９】
以上のように、本発明にかかる自動販売機の制御装置は商用電源停止時に蓄電装置で動作する自動販売機で運転状態に応じて蓄電するので、飲料以外の自動販売機にも適用できる。
【図面の簡単な説明】
【００５０】
【図１】本発明の実施の形態１による自動販売機の制御装置の機能ブロック図
【図２】本発明の実施の形態２による自動販売機の制御装置の機能ブロック図
【図３】同実施の形態による自動販売機の制御装置の動作を示すフローチャート
【図４】本発明の実施の形態３による自動販売機の制御装置の機能ブロック図
【図５】同実施の形態による自動販売機の制御装置の動作を示すフローチャート
【図６】本発明の実施の形態４による自動販売機の制御装置の機能ブロック図
【図７】本発明の実施の形態５による自動販売機の制御装置の機能ブロック図
【符号の説明】
【００５１】
１    第１商用電源
２    第２商用電源
３    第１給電回路
４    商品販売手段
５    冷却加温手段
６，６ａ  蓄電手段
７    第２給電回路
８    蓄電制御手段
９    電流検知手段
１０  消費電流判定手段
１１，１１ａ  演算制御部
１２  蓄電優先設定手段
１３  蓄電判定手段
１４  冷却加温給電制御手段
１５  操作装置
１６  コンセント
１７  外部給電制御手段
【図１】
2007293753.tif 000003
【図２】
2007293753.tif 000004
【図３】
2007293753.tif 000005
【図４】
2007293753.tif 000006
【図５】
2007293753.tif 000007
【図６】
2007293753.tif 000008
【図７】
2007293753.tif 000009